(57)【要約】【課題】デジタル処理設備を持たない印刷関連業者でもＣＴＰ装置を使って印刷版を出力することが可能で、全データの送付を電子通信手段を介して行うことにより、印刷版の出力までの作業を自社にデジタル処理設備を持っている場合と同等に効率的且つ簡易にできる印刷データの作成・配信方式を提供する。【解決手段】ＣＴＰ装置を設備した印刷関連業者を対象とし、印刷関連業者からの入稿データが電子通信手段によりサービス提供者に送付される。サービス提供者は、印刷用入稿データにデジタル処理を行い１ｂｉｔＴＩＦＦファイルに変換し、該ファイルまたはそれを元に変換した校正専用ファイルを電子通信手段で印刷関連業者に送付する。印刷関連業者で校正刷りしてＣＴＰ出力前に校正を行い、校正がある場合には再作成した１ｂｉｔＴＩＦＦファイルをサービス提供者から電子通信手段でＣＴＰ出力のために印刷関連業者に配信する。【選択図】        図１
2004302610.tif 000002
【特許請求の範囲】
【請求項１】
ＣＴＰ装置を設備した印刷関連業者を対象とした印刷データの作成・配信方式であって、
上記印刷関連業者からの印刷用の入稿データが電子データとして、電子通信手段あるいは電子的記憶媒体によりサービス提供者に送付され、
サービス提供者においては、上記印刷用の入稿データについて必要なデジタル処理を行って、ＣＴＰ装置に入力できる１ｂｉｔＴＩＦＦファイルに変換し、当該ファイルをそのまま、あるいはカラープリンター対応の校正専用ファイルとして、電子通信手段あるいは電子的記憶媒体により印刷関連業者に送付し、該印刷関連業者においてカラープリンターを用いて校正刷りしたうえで、該印刷関連業者または印刷依頼者において校正を行い、
校正を終えた後、予め印刷関連業者に送付された上記１ｂｉｔＴＩＦＦファイル、あるいは改めてサービス提供者から送付された当該ファイルを用いて、印刷関連業者においてＣＴＰ出力する、
ことを特徴とする印刷データの作成・配信方式。
【請求項２】
サービス提供者と印刷関連業者間の全てのデータ送付がインターネットを介して行われる、
ことを特徴とする請求項１に記載の印刷データの作成・配信方式。
【請求項３】
ＣＴＰ装置を設備しない印刷関連業者を対象とした印刷データの作成・配信方式であって、
上記印刷関連業者からの印刷用の入稿データが電子データとして、電子通信手段あるいは電子的記憶媒体によりサービス提供者に送付され、
サービス提供者においては、上記印刷用の入稿データについて必要なデジタル処理を行って、ＣＴＰ装置に入力できる１ｂｉｔＴＩＦＦファイルに変換し、当該ファイルをそのまま、あるいはカラープリンター対応の校正専用ファイルとして、電子通信手段あるいは電子的記憶媒体により印刷関連業者に送付し、該印刷関連業者においてカラープリンターを用いて校正刷りしたうえで、該印刷関連業者または印刷依頼者において校正を行い、
校正を終えた後、１ｂｉｔＴＩＦＦファイルを、サービス提供者においてＣＴＰ装置を使用することにより印刷版に出力し、該印刷版を印刷関連業者に送付する、
ことを特徴とする印刷データの作成・配信方式。
【請求項４】
サービス提供者と印刷関連業者間のデータ送付が、印刷版の送付を除いて全てインターネットを介して行われる、
ことを特徴とする請求項３に記載の印刷データの作成・配信方式。
【発明の詳細な説明】
【０００１】
【発明の属する技術分野】
本発明は、印刷データの作成・配信方式に関するものであり、さらに具体的には、ＣＴＰ（Ｃｏｍｐｕｔｅｒ−ｔｏ−Ｐｌａｔｅ：印刷を行う際に印刷機に装填する金属版をコンピュータからの指示により直接出力する装置）出力のために必要な上記印刷データを外部委託により作成し、通信等によって主に印刷業者からなるユーザーに提供するサービス形態を採る印刷データの作成・配信方式に関するものである。
【０００２】
【従来の技術】
従来、印刷版の作成は、入稿データを製版によりフィルム化した後、刷版で当該フィルムを版材に焼付けすることにより行われていたが、印刷データのデジタル化に伴い、ＣＴＰ装置に印刷データを入力することによって直接印刷版を出力する方式が主流になりつつある。このＣＴＰ装置を使っての印刷版の出力は、印刷版の品質の向上だけでなく、納期の短縮やコストの低減の面でも有効なものである。
【０００３】
一方、ＣＴＰ装置に入力するデータをデジタル化（ＤＴＰ（ＤｅｓｋＴｏｐ  Ｐｕｂｌｉｓｈｉｎｇ）処理）するためのデジタル処理設備（ＤＴＰ設備）を持たない印刷関連業者がＣＴＰ装置を使うためには、データをデジタル化するためのコンピュータを設備してＣＴＰ出力のための前処理を行う必要があるため、
・  新たなコンピュータのほかデジタル処理設備の負担
・  運用するための要員の確保
・  デジタル化のためのノウハウの取得
など非常に高いハードルをクリアする必要があった。
【０００４】
ところが近年になって、印刷データとしてＲＩＰ（Ｒａｓｔｅｒ  ＩｍａｇｅＰｒｏｃｅｓｓｏｒ）処理後の１ｂｉｔ網点データからなるＴＩＦＦ（ＴａｇＩｍａｇｅ  Ｆｉｌｅ  Ｆｏｒｍａｔ）ファイル（以下「１ｂｉｔＴＩＦＦファイル」という）を受け取ることができるＣＴＰ装置が増え、入稿データから１ｂｉｔＴＩＦＦファイルを作成できるワークフローを利用できれば、ＣＴＰ装置の設備だけで印刷版の出力が可能になるため、入稿データから１ｂｉｔＴＩＦＦファイルの作成及び校正までを受託して、ＣＴＰ装置を設備しているか否かにかかわらず、不特定多数の印刷関連業者に対応できるサービス形態が望まれる。
【０００５】
【発明が解決しようとする課題】
本発明の技術的課題は、印刷版作成までをコンピュータ化されていない印刷関連業者のデジタル化を促進可能な画期的なサービス形態で、デジタル処理設備を持たない会社でも、新たなコンピュータやデジタル処理設備等を導入したり、それらのコンピュータ等を運用する要員の確保やデジタル化のためのノウハウを取得することなく、ＣＴＰ装置を使って印刷版を出力することが可能で、しかもサービス提供者と印刷関連業者間の全てのデータの送付を電子通信手段を介して行うようにすることにより、印刷用の入稿データを印刷版に出力するまでの作業を、自社にデジタル処理設備を持っている場合と同等に効率的且つ簡易に行うことが可能な印刷データの作成・配信方式を提供することにある。
【０００６】
本発明の他の技術的課題は、サービス提供者においてＣＴＰ装置に入力する１ｂｉｔＴＩＦＦファイル自体をそのまま、また、必要に応じてそれをカラープリンター対応の校正専用ファイルとして印刷関連業者に提供する、という従来から行われていないサービス形態を採用し、それによって、不特定多数の印刷関連業者にＣＴＰ装置を装備しているか否かにかかわらず利用可能な印刷データの作成・配信方式を提供することにある。
【０００７】
【課題を解決するための手段】
上記課題を解決するための本発明の第１の印刷データの作成・配信方式は、ＣＴＰ装置を設備した印刷関連業者を対象とし、上記印刷関連業者からの印刷用の入稿データが電子データとして、電子通信手段あるいは電子的記憶媒体によりサービス提供者に送付され、サービス提供者においては、上記印刷用の入稿データについて必要なデジタル処理を行って、ＣＴＰ装置に入力できる１ｂｉｔＴＩＦＦファイルに変換し、当該ファイルをそのまま、あるいはカラープリンター対応の校正専用ファイルとして、電子通信手段あるいは電子的記憶媒体により印刷関連業者に送付し、該印刷関連業者においてカラープリンターを用いて校正刷りしたうえで、該印刷関連業者または印刷依頼者において校正を行い、校正を終えた後、予め印刷関連業者に送付された上記１ｂｉｔＴＩＦＦファイル、あるいは改めてサービス提供者から送付された当該ファイルを用いて、印刷関連業者においてＣＴＰ出力することを特徴とするものである。
上記印刷データの作成・配信方式は、サービス提供者と印刷関連業者間の全てのデータ送付をインターネットを介して行うことができる。
【０００８】
また、本発明の第２の印刷データの作成・配信方式は、ＣＴＰ装置を設備しない印刷関連業者を対象とし、上記印刷関連業者からの印刷用の入稿データが電子データとして、電子通信手段あるいは電子的記憶媒体によりサービス提供者に送付され、サービス提供者においては、上記印刷用の入稿データについて必要なデジタル処理を行って、ＣＴＰ装置に入力できる１ｂｉｔＴＩＦＦファイルに変換し、当該ファイルをそのまま、あるいはカラープリンター対応の校正専用ファイルとして、電子通信手段あるいは電子的記憶媒体により印刷関連業者に送付し、該印刷関連業者においてカラープリンターを用いて校正刷りしたうえで、該印刷関連業者または印刷依頼者において校正を行い、校正を終えた後、１ｂｉｔＴＩＦＦファイルを、サービス提供者においてＣＴＰ装置を使用することにより印刷版に出力し、該印刷版を印刷関連業者に送付することを特徴とするものである。上記印刷データの作成・配信方式においては、サービス提供者と印刷関連業者間のデータ送付を、印刷版の送付を除いて全てインターネットを介して行うことができる。
【０００９】
上記構成を有する印刷データの作成・配信方式は、ＣＴＰ装置に入力するデータをデジタル化（ＤＴＰ処理）するためのデジタル処理設備（ＤＴＰ設備）を必要としないため、巨額な資金を投入して新たなコンピュータやデジタル処理設備等を導入する必要がないばかりでなく、それらのコンピュータ等を運用する要員の確保やデジタル化のためのノウハウを取得する必要がなく、デジタル処理設備を持たない印刷関連業者においても自社のＣＴＰ装置を使って印刷版を出力することが可能になる。また、デジタル処理設備を設備しながらも一時的に社内でデジタル処理ができない印刷関連業者でも、このサービスを利用することにより自社のＣＴＰ装置を使って印刷版の出力が可能になる。
しかも、サービス提供者と印刷関連業者間の全てのデータの送付を電子通信手段（インターネット等の公衆ネットワーク網を利用しても良いが、セキュリティ機能を持った転送サービスを使用するのが好ましい。）を介して行うようにすれば、印刷用の入稿データを印刷版に出力するまでの作業を、自社にデジタル処理設備を持っている場合と同等に、効率的且つ簡易に行うことができる。
【００１０】
さらに、印刷関連業者がＣＴＰ装置を設備していない場合には、印刷用の入稿データを１ｂｉｔＴＩＦＦファイルに変換後、サービス提供者においてＣＴＰ装置を使って印刷版を出力し、それを印刷関連業者に送付するようにすることにより、ＣＴＰ装置を装備しているか否かにかかわらず、当該サービスを不特定多数の印刷関連業者が利用可能になる。
【００１１】
【発明の実施の形態】
図１及び図２は、本発明の印刷データの作成・配信方式の第１実施例を示している。この印刷データの作成・配信方式は、自社にＣＴＰ装置を設備した印刷関連業者を対象としたもので、印刷用の入稿データをＣＴＰ装置に入力できる１ｂｉｔＴＩＦＦファイルに変換するまでのＤＴＰ処理作業をサービス提供者において受託することにより、印刷用の入稿データをデジタル処理するためのＤＴＰ設備を持たない印刷関連業者が有効に活用できる印刷データの作成・配信方式を提供するものである。
上記印刷関連業者とは、印刷会社、刷版会社、校正会社（印刷用校正刷り専門会社）等を意味している。
【００１２】
本発明の第１実施例の印刷データの作成・配信方式を、図面を参照しながら具体的に説明すると、図１に詳細に示すように、先ず印刷依頼者から印刷の受注をした印刷関連業者が、印刷用の入稿データとして、ＤＴＰ専用アプリケーションで作成したイラスト又はテキストのデータ、あるいはそれらが混在したデータ等からなる電子データをインターネットを介してサービス提供者に送付する。
【００１３】
次に、上記印刷用の入稿データをインターネットを介して受け取ったサービス提供者は、該入稿データについて必要なデジタル処理を行う。
このデジタル処理では、先ず上記入稿データは後処理のためにＰＳ（ＰｏｓｔＳｃｒｉｐｔ）ファイルに変換される。次に該ＰＳファイルは、文字や画像形式等の記述に誤りがないかなどのチェックを受けた後、ＰＤＦ（Ｐｏｒｔａｂｌｅ  Ｄｏｃｕｍｅｎｔ  Ｆｏｒｍａｔ）ファイルが作成され、印刷関連業者の指示に従って面付けが行われ、印刷に必要な解像度や線数などの指示を行ってＲＩＰ処理される。ここで、面付けとは、印刷する用紙の大きさに合わせて頁を割り付けることであり、解像度とは、画像のクオリティや情報量を表す基準のことで、ここではＣＴＰ装置での出力時に書き込まれる点の大きさのことを指し、一般的には２４００ｄｐｉ（ｄｏｔｓ  ｐｅｒ  ｉｎｃｈ）である。また、線数とは、ＣＴＰ装置での出力時に書き込まれる点が集まってできた等間隔の網点といわれるものが１インチあたりに並んでいる数を示すものである。
最後に、カラーであればＣＭＹＫの４版のデータに分版されて、網点と呼ばれる等間隔の点の集まりを生成する。そして、その網点のデータが必要な色数分の１ｂｉｔＴＩＦＦファイルとなる。
【００１４】
上記１ｂｉｔＴＩＦＦファイル、あるいはそれを元に変換されたカラープリンター対応の校正専用ファイルは、インターネットを介して印刷関連業者に送付され、印刷関連業者においては、それが１ｂｉｔＴＩＦＦファイルの場合には校正専用ファイルに変換して、ＣＴＰ装置へのデータ入力による印刷版の出力前に、自社のインクジェットあるいはレーザー等によるカラープリンターを用いて校正刷りをし、それを印刷関連業者自身あるいは印刷依頼者に渡すことにより内容の確認を行う。仮に訂正箇所がある場合には、印刷関連業者がサービス提供者にインターネットを介して訂正箇所や訂正内容等についての情報（入稿データ）を送付し、それを受け取ったサービス提供者はその情報を元に上記１ｂｉｔＴＩＦＦファイルを再作成する。
【００１５】
校正を終えた上記１ｂｉｔＴＩＦＦファイルは、サービス提供者からインターネットを介して印刷関連業者に再度配信され、該印刷関連業者は自社のＣＴＰ装置に上記１ｂｉｔＴＩＦＦファイルを入力することにより印刷版を出力し、それを印刷機に装填することにより印刷物を作成する。印刷関連業者が先に１ｂｉｔＴＩＦＦファイルの送付を受けていて訂正箇所がない場合には、当該ファイルをそのまま用いてＣＴＰ装置により印刷版を出力すればよい。
【００１６】
上記構成を有する印刷データの作成・配信方式は、ＣＴＰ装置に入力するデータをデジタル化（ＤＴＰ処理）するためのデジタル処理設備（ＤＴＰ設備）を必要としないため、巨額な資金を投入して新たなコンピュータやデジタル処理設備等を導入する必要がないばかりでなく、それらのコンピュータ等を運用する要員の確保やデジタル化のためのノウハウを取得する必要がなく、デジタル処理設備を持たない印刷関連業者においても自社のＣＴＰ装置を使って印刷版を出力することが可能になる。また、デジタル処理設備を設備しながらも一時的に社内でデジタル処理ができない印刷関連業者でも、このサービスを利用することにより自社のＣＴＰ装置を使って印刷版の出力が可能になる。
【００１７】
しかも、サービス提供者と印刷関連業者間の全てのデータの送付をインターネットを介して行うようにすれば、印刷用の入稿データを印刷版に出力するまでの作業を、自社にデジタル処理設備を持っている場合と同等に、効率的且つ簡易に行うことができる。
【００１８】
なお、上述した第１実施例においては、サービス提供者と印刷関連業者間の全てのデータ送付をインターネットを介して行うこととしているが、データ容量が大きく電子通信回線では送付が困難な場合などには、該データをＭＯやＣＤ、ＤＶＤ等の電子的記憶媒体に保存して、それを任意の配送手段で送付することにより、サービス提供者と印刷関連業者間のデータ送付の手段としてもよい。
【００１９】
次に、図２は本発明の第２実施例を示している。この印刷データの作成・配信方式は、自社にＣＴＰ装置を設備しない印刷関連業者を対象としたもので、印刷用の入稿データを１ｂｉｔＴＩＦＦファイルへ変換するまでの行程は前記第１実施例と同様であるが、それに加えて、サービス業者においてＣＴＰ装置を使っての印刷版の出力までを受託するものである。よって、以下の説明においては、１ｂｉｔＴＩＦＦファイルへ変換するまでの行程及びその作用の説明は、前記第１実施例を参照するものとして、それらの説明を省略する。
【００２０】
ＣＴＰ装置に入力できる１ｂｉｔＴＩＦＦファイルに変換された印刷データは、図２に示すように、ＣＴＰ装置へのデータ入力による印刷版の出力前に、サービス提供者から印刷関連業者に１ｂｉｔＴＩＦＦファイル、あるいはそれを元に変換された校正専用ファイルとしてインターネットを介して送付され、印刷関連業者においては自社のカラープリンターを用いて校正刷りをして、印刷関連業者自身あるいは印刷依頼者に渡すことにより内容の確認を行う。仮に訂正箇所がある場合には、印刷関連業者がサービス提供者にインターネットを介して訂正箇所や訂正内容等についての情報（入稿データ）を送付し、それを受け取ったサービス提供者はその情報を元に上記１ｂｉｔＴＩＦＦファイルを再作成する。
【００２１】
校正を終えた上記１ｂｉｔＴＩＦＦファイルは、サービス提供者においてＣＴＰ装置を使用することにより印刷版に出力され、該印刷版を任意の配送手段で印刷関連業者に送付する。そして、印刷関連業者において上記印刷版を印刷機に装填することにより印刷物を作成する。
【００２２】
上記構成を有する印刷データの作成・配信方式は、印刷関連業者がＣＴＰ装置を設備していない場合においても、印刷用の入稿データを１ｂｉｔＴＩＦＦファイルに変換後、サービス提供者においてＣＴＰ装置を使って印刷版を出力し、それを印刷関連業者に送付するようにすることにより、ＣＴＰ装置を装備しているか否かにかかわらず、当該サービスを利用することが可能になる。
【００２３】
なお、以上に詳述した本発明の印刷データの作成・配信方式は、データの送付を全てインターネットを介して行うため、前記第２実施例における印刷版の送付を除く、全ての行程をＡＳＰ（Ａｐｐｌｉｃａｔｉｏｎ  Ｓｅｒｖｉｃｅ  Ｐｒｏｖｉｄｅｒ）によって自動化することができる。
【００２４】
ここで、上述した各実施例においては、サービス提供者と印刷関連業者との間のデータの送付をインターネットを介して行う場合について記載したが、インターネット等の公衆ネットワークを利用するだけではなく、情報セキュリティ機能を持った転送サービスを使用するのがより好ましい。
【００２５】
【発明の効果】
以上に詳述した本発明の印刷データの作成・配信方式によれば、ＣＴＰ装置に入力するデータをデジタル化（ＤＴＰ処理）するためのデジタル処理設備（ＤＴＰ設備）を必要としないため、巨額な資金を投入して新たなコンピュータやデジタル処理設備等を導入する必要がないばかりでなく、それらのコンピュータ等を運用する要員の確保やデジタル化のためのノウハウを取得する必要がなく、デジタル処理設備を持たない印刷関連業者においても自社のＣＴＰ装置を使って印刷版を出力することが可能になる。また、デジタル処理設備を設備しながらも一時的に社内でデジタル処理ができない印刷関連業者でも、このサービスを利用することにより自社のＣＴＰ装置を使って印刷版の出力が可能になる。
しかも、サービス提供者と印刷関連業者間の全てのデータの送付を電子通信手段を介して行うようにすれば、印刷用の入稿データを印刷版に出力するまでの作業を、自社にデジタル処理設備を持っている場合と同等に、効率的且つ簡易に行うことができる。
【００２６】
さらに、印刷関連業者がＣＴＰ装置を設備していない場合には、印刷用の入稿データを１ｂｉｔＴＩＦＦファイルに変換後、サービス提供者においてＣＴＰ装置を使って印刷版を出力し、それを印刷関連業者に送付するようにすることにより、ＣＴＰ装置を装備しているか否かにかかわらず、当該サービスを不特定多数の印刷関連業者が利用可能になる。
【図面の簡単な説明】
【図１】本発明の第１実施例の印刷データの作成・配信方式の概念図である。
【図２】本発明の第２実施例の印刷データの作成・配信方式の概念図である。
【図１】
2004302610.tif 000003
【図２】
2004302610.tif 000004